(57)【要約】【課題】大量のネットワークカメラによる遊技機及び遊技者の動画像を暗号化してネットワークに接続し、異常状態や健康状態を監視・診断・解析・認証すると共に、従来のホールコンピュータシステムの機能も継承できるシステムを提供する。【解決手段】遊技ホール８内の各遊技機２に設置される監視用のネットワークカメラ１と、複数のネットワークカメラを島ネットワーク５を介して撮像動画像の画像処理及び暗号化処理を管理する島ＢＯＸコンピュータ４に接続し、遊技機場内の複数の島ＢＯＸコンピュータとホールネットワーク６に接続される。これらはホールアプリケーションサーバ７とで集中又は分散管理・制御される。即ち暗号化撮像動画像データを処理すると共に、アドレス変換、ＶＰＮ設定等を行ってホール外の各種関連施設と広域ネットワークに接続され、接続されている全てのカメラ撮像動画像を認証・解析して複数ホールの場内全遊技機の診断・監視を行う。【選択図】図１
2006212043.tif 000002
【特許請求の範囲】
【請求項１】
遊技ホール（複数ホールの群管理も含む）に設置された遊技機、遊技機セル（管理情報収集端末、監視カメラ、景品管理機、遊技玉・メタル計数機、同貸出機又はプリペイドカード管理機等の周辺機器を含む）の異常状態、遊技者の異常（不正）操作と健康状態を監視用カメラにより検知し、ネットワークを介して監視する遊技機及び遊技者の監視・診断・解析・認識システムであって、遊技ホール内の天井及び遊技機毎に設置され遊技者の顔の表情、手の動作等の撮像動画像データをネットワークで伝送するネットワークカメラと、前記複数のネットワークカメラを島ネットワーク経由で管理・制御し撮像動画像の画像処理・解析及び暗号化処理を行う島組込み（Ｅｍｂｅｄｄｅｄ）コンピュータ（島ＢＯＸコンピュータ）と、前記遊技ホール内の複数の島ＢＯＸコンピュータをホール内ネットワーク経由で管理・制御し、広域ネットワーク接続用の前記撮像動画像の編集、ＩＰアドレス変換、ＶＰＮ接続機能を有し、ホール外の各種関連施設・機関と連携して、前記複数の島ＢＯＸコンピュータが収集したホール内の全てのカメラ及びカメラ画像を受信・解読・分析・診断・管理してホール内全遊技機及び遊技者の選択・監視・診断を行うホールアプリケーションサーバ（以下ＨＡＳ）と、前記広域ネットワークを介して接続された系列ホール毎のＨＡＳの群管理のマスタＨＡＳと、前記暗号化処理の鍵認証局機能を有する第三者管理センターと、を備えたことを特徴とする遊技機及び遊技者監視・診断・解析・認識システム。
【請求項２】
前記ＨＡＳ及びマスタＨＡＳは、遊技機及び遊技機セル機器・装置から島ネットワーク経由で島ＢＯＸコンピュータに入力された管理データに基づき、当り・確率データ、稼動率、遊技玉・メダル売上げ等のホール経営管理データ及び来歴データ、解析データの管理システムを新たなホールコンピュータシステムを導入せずに実現できることを特徴とする請求項１に記載の遊技機及び遊技者監視・診断・解析・認識システム。
【請求項３】
前記暗号化処理の方式は、撮像動画像データを受信する管理コンピュータ側が該管理コンピュータ側で生成した公開鍵をカメラ等の前記撮像動画像送信側へ送信する公開鍵伝送手順と、前記公開鍵を受信した撮像動画像送信側で共通鍵を選択し生成する共通鍵生成手順と、前記共通鍵を用いて平文撮像動画像データを該共通鍵で暗号化すると共に前記共通鍵を前記公開鍵で暗号化した暗号化共通鍵と暗号文撮像動画像データとを前記受信側へ送信する暗号化手順と、前記受信側で自己の秘密鍵により前記暗号化共通鍵を復号して前記暗号文撮像動画像データを平文撮像動画像データに戻す復号化手順と、を有する、暗号自身が共通鍵を自動的に変更する公開鍵及び共通鍵を用いたハイブリッド方式により機密性・安全性保護を行い、処理速度を低下させない暗号化を行うことを特徴とする請求項１に記載の遊技機及び遊技者監視・診断・解析・認識システム。
【請求項４】
前記暗号化処理の方式及び該暗号化処理データを扱う前記ＨＡＳは、公開鍵発行者による認証機能と否認防止機能によりアクセス権者を特定・記録することによって肖像権保護の観点より暗号撮像動画像ファイルへのアクセス権を設定して撮像動画像のアクセス及び監視目的を制限することを特徴とする請求項３に記載の遊技機及び遊技者監視・診断・解析・認識システム。
【請求項５】
前記暗号化処理の方式は、前記アクセス権者に対しても特定暗号フアイルの暗号鍵を共通とすると共に前記暗号撮像動画像ファイル毎に頻繁に暗号鍵が変更され、公開鍵所有のアクセス権者には前記暗号撮像動画像ファイル単位のアクセス権を設定することを特徴とする請求項４に記載の遊技機及び遊技者監視・診断・解析・認識システム。
【請求項６】
前記暗号化処理の方式は、前記暗号撮像動画像ファイルへのアクセスに対して、何時、誰が、どの暗号撮像動画像ファイルを読んだかを常にロギングにより記録し、これを公開鍵発行者により認証することによって否認防止機能による暗号撮像動画像ファイルの機密性保護を行い、復号した平文撮像動画像データを削除して安全性機能による保護を行うことを特徴とする請求項５に記載の遊技機及び遊技者監視・診断・解析・認識システム。
【請求項７】
前記暗号化処理の方式は、公開鍵の正当性を保証する機関（ＣＡ：Ｃｅｒｔｉｆｉｃａｔｅ  Ａｕｔｈｏｒｉｔｙ／認証局）を第三者機関として設置し、身分証明書やホール認可書等の必要書類データと共に公開鍵を前記認証局に送信し、前記認証局は該認証局の署名付きで公開鍵を返送することを特徴とする請求項３に記載の遊技機及び遊技者監視・診断・解析・認識システム。
【請求項８】
前記暗号化処理の方式は、遊技者の映像を犯罪防止及び遊技者健康チェック以外の目的に使用されることがないように、アクセス権、認証機能によるアクセス者の特定、第三者による認証・証明により肖像権が保護されることを特徴とする請求項４に記載の遊技機監視・診断・認識システム。
【請求項９】
前記ネットワークカメラは、島ＢＯＸコンピュータとシェアして、少なくとも音声も同時に送れる音声伝送機能と、動体検知及び動体除去機能と、リアルタイムに画像データを暗号化できるリアルタイム画像暗号化機能と、複数台の当該カメラを遠隔モニター側でまとめて表示モニタリングできる機能と、当該カメラの画像を複数の遠隔モニター側で同時にパン／チルト及びズーム等の異なるカメラ操作が可能なソフト雲台機能と、指定した時刻に指定した前記ＨＡＳに対して画像を転送するタイマー機能と、ＴＣＰ及びＵＤＰ／ＩＰ、ＨＴＴＰ、ＦＴＰ等のインターネットプロトコルを含むＷｅｂ伝送機能と、を有して、遊技者の顔の表情及び手の動作像を自動認識して異常操作・動作の遊技者の映像と遊技台情報等の各種遊技機及び遊技者情報を所定の管理者用端末へ伝送する機能を有することを特徴とする請求項１に記載の遊技機及び遊技者監視・診断・解析・認識システム。
【請求項１０】
前記島ＢＯＸコンピュータは、前記ネットワークカメラと無線／ＰＬＣ（高速電力線通信）／ＬＡＮ等のネットワークにより接続され、他の系列遊技ホールの前記マスタＨＡＳ間は広域ネットワ−ク（ＷＡＮ）等のＷｅｂ対応ネットワークにより接続することを特徴とする請求項１に記載の遊技機及び遊技者監視・診断・解析・認識システム。
【請求項１１】
前記ＨＡＳは、各管理者又は暗号撮像動画像ファイルアクセス者に対する鍵認証を行う第三者管理センター（認証局）及び各種暗号アルゴリズムをアクセスできる他のＨＡＳと広域ネットワークを介して接続することを特徴とする請求項１に記載の遊技機及び遊技者監視・診断・解析・認識システム。
【請求項１２】
前記ＨＡＳは、リレーショナル画像蓄積型サーバの預託稼動システムと広域ネットワークを介してＶＰＮ接続を行い前記暗号撮像動画像ファイルのアクセスを行うことを特徴とする請求項１に記載の遊技機及び遊技者監視・診断・解析・認識システム。
【発明の詳細な説明】
【技術分野】
【０００１】
本発明は、遊技場内のパチンコ、回胴式遊技機（パチスロ機）等の遊技機（セルを含む）及びその遊技者を、ネットワークカメラを設置して監視し、撮像した撮像動画像を暗号化してデータの盗聴・改竄・なりすましを防止する監視・診断・解析・認識システムに関するものである。
【背景技術】
【０００２】
従来より、ネットワーク対応型の監視カメラをネットワーク経由でモニター装置に接続し、モニター装置側で撮影した映像をモニターしたり、監視カメラのパン／チルト等の操作を制御したりするようにした遠隔監視システムがある。
図７は、従来の監視カメラの構成図であり、監視カメラ部１００は必要なパケットのみを最適なルートを決定して通過させることができるルータ１０２を介して、ネットワーク１０３に接続されている。
ネットワーク１０３に接続された監視部１０４からの命令でカメラの回転角をカウンタ値で出力する制御部１０５の指令値により、監視カメラ部１００はパルスモータを駆動しカメラ本体１１１に取付けられた旋回台１１２を中心に旋回させ、視野１１３を移動させて広い視野範囲１１４をカバーするようになっている。
【０００３】
図８は、監視表示部の表示画像を示す図であって、この場合の撮影画像は、カメラのパン旋回範囲（ＣＣＷ端からＣＷ端まで）が黒丸を付けたラインで表示され、そのライン上にはソフトウェア・リミットスイッチの位置を表すΔ印カーソルＣ１〜Ｃ２が表示される。また、ボックスＤ１、Ｄ２にはリミット位置の値（図では２０°〜３００°）が表示されている。これらリミットスイッチ位置、ボックス位置は回転範囲の設定にも使用できる。同様に、画面左側にはチルト操作が表示されている。
また、図９に示すように、カメラの画角に応じて、例えば、画角６０度であれば、６枚の画像でリミットスイッチの範囲（旋回範囲）一杯に相当する風景を表示し、指定された画像（例えば、画像Ａと画像Ｂ）の位置を数値に変換してリミット位置を決定することもできる。
図１０は、画面からカメラ指令を作成するもので、表示画面に全監視範囲がカバーされる合成画面を作成し、図のような斜線で示す範囲Ａをクリックして指示すると、この位置の画像を撮影する位置にカメラを移動させることができる（特許文献１参照）。
【０００４】
一方、パチンコ、パチスロ等の遊技場内の遠隔監視システムとしては、特許文献２に開示の「遊技機監視システム」が挙げられる。図１１は、従来の遊技機監視システムのシステム接続図であり、一般的にパチンコホール内はパチンコ、パチスロ機械が連続して並ぶ複数の区画（通称「島」と呼ぶ）に分割されていて、島センター３００が島毎に一台ずつ設けられ、図１１に示すように島内の全ての端末モニター３０１が接続されている。通常、島にはパチンコ機械が、１列（壁に面した島の場合）又は２列に並べて配置されている。島センター３００と各端末モニター３０１の間は半二重の２進同期通信で通信が行われ、全ての島センター３００はバス線３１３を介してホールサーバ３１０に接続されていて、パケット通信等により通信が行われている。島センター３００は常に島内の端末モニター３０１の情報を収集して、異常が発生した場合には、直ちにホールサーバ（ホールコンピュータ）３１０へ異常情報を送信して、遊技機のプログラムが不正に操作されて書替えられたり、パチンコ機械に異常電波を照射して遊技機の動作を狂わせたりする不正行為をプログラム実行状態やデータを監視して発見できるようにしている。
【０００５】
また、従来から遊技場内で行われている各種通信の暗号化については、例えば、特許文献３に開示の「遊技施設のデータ通信方法」が挙げられる。
図１２は、従来の遊技施設のデータ通信方法のブロック図であり、ホールコンピュータ４００は、通信線４０８を介して送信される各機器のデータを主に受信するもので、このホールコンピュータ４００には各機器との間で送受信されるデータを秘匿するために、ホールコンピュータ４００へ各機器から送信されるデータを所定の方式で暗号化する公開鍵ｐｋ１と、元のデータに復号する秘密鍵ｓｋ１を記憶領域に記憶している。ホールコンピュータ４００の記憶領域には他機器の夫々の公開鍵も記憶されていて、各機器へのホールコンピュータ４００からの送信には、各機器の公開鍵ｐｋ２〜ｐｋ６が使用される。同様に景品管理ＰＯＳ４０３は公開鍵ｐｋ２と秘密鍵ｓｋ２の他に玉計数器４０４への送信データを暗号化する玉計数器４０４の公開鍵ｐｋ３と、玉貸機４０５の公開鍵ｐｋ４と、自動販売機４０６の公開鍵ｐｋ５と、遊技機４０７の公開鍵ｐｋ６が記憶されている。
このような構成で、例えば、玉計数機４０４からホールコンピュータ４００へデータを送信する場合には、玉計数機４０４は記憶しているホールコンピュータ４００の公開鍵ｐｋ１を用いて暗号化し、これを受信したホールコンピュータ４００は自分の秘密鍵ｓｋ１を用いて復号することができる。同様に玉貸機４０５、自動販売機４０６、遊技機４０７からホールコンピュータ４００へ送信する場合も、各機器は記憶しているホールコンピュータ４００の公開鍵ｐｋ１を用いて暗号化し、ホールコンピュータ４００は受信した各機器からの送信データを自己秘密鍵ｓｋ１によって復号することができる。
【０００６】
【特許文献１】特開２００１−３６８１０号公報
【特許文献２】特開２００２−２２４４０６号公報
【特許文献３】特開２００１−３４０５９７号公報
【発明の開示】
【発明が解決しようとする課題】
【０００７】
しかしながら、上記従来例における特許文献１に開示の監視用カメラの場合、基本的な画像監視機能は内蔵しているが、リアルタイムに動画像を暗号化して伝送・蓄積する機能、ＴＣＰ、ＵＤＰ／ＩＰ、ＨＴＴＰ、ＦＴＰ等による撮像動画像のローカルおよび広域ネットワーク伝送機能等を有していないのでネットワーク対応および暗号との共存対応が不可能であるという問題がある。
また、特許文献２の場合は、遊技機にＣＰＵ基板を内蔵して端末機能を持たせたネットワーク監視システムであるが、遊技者の不正操作等をデータの変化から間接的に検知するという手法なので、撮像画像から視覚的に捉える直接的な手法と比較すると発見確率、確実性、即応性が低いという問題がある。
また、特許文献３の場合は、遊技ホール内の玉貸機やパチンコ機などの遊技機からホールコンピュータへ稼動状況を伝える通信データを暗号化して盗聴、改竄を防止するものであるが、公開鍵と秘密鍵による鍵方式の暗号を使用して暗号鍵に公開鍵をそのまま使用すると、鍵作成時でのデータの改竄防止が困難で、また、動画像データの伝送等の膨大なデータ量を複雑な公開鍵で暗号化していたのでは処理速度が低下し、リアルタイム性が失われる。特に、１ホール単位あるいは系列ホールを含めて数１００台〜１００００台のカメラからの動画像を集中・選別監視するような監視システムを構築しようとする場合に処理速度の低下と回線トラフィックは致命的な問題となる。
【０００８】
処理速度に着目すると、Ｗｅｂ伝送系の電子商取引、課金・金融業務等ではＳＳＬ（Ｓｅｃｕｒｅ  Ｓｏｃｋｅｔ  Ｌａｙｅｒ）方式が多用されている。ＳＳＬ方式も同様に公開鍵方式ではあるが、送信側と受信側で共通鍵を生成して交換し、送信側は公開鍵より簡単化された共通鍵で暗号化して伝送し、受信側も共通鍵で復号化することで処理速度の改善が図られている。
しかしながら、このＳＳＬ方式もアメリカでの攻撃事例の発生等が伝えられるようになり１００％の安全性は保証できないようになってきた。これはＳＳＬが受信側のブラウザで復号化されるために、復号化された平文の生データがブラウザのキャッシュなどに蓄積され、複製可能となり共通鍵の再生を可能にするためである。このように、伝送データの暗号化についても各種の問題がある。
【０００９】
そこで、本発明は、遊技ホール内での遊技者の不正操作や健康状態を、遊技機等毎にネットワークカメラを設置してカメラが撮像する顔の表情、手の動作等の動画像を遠隔監視することでリアルタイムに監視できるようにし、監視用の動画像データも、共通鍵を動的に変更するＩＰｓｅｃ方式等のように、共通鍵をファイル毎やパケット毎に交換することや、多い時は１０００回以上／秒の度数で交換可能な、暗号自身が共通鍵を自動的に変更する公開鍵及び共通鍵を用いたリアルタイム方式の最新の暗号化方式を導入し、キャッシュファイルの削除機能の追加などにより復号化した平文の削除機能を強化することによってＳＳＬのセキュリティホールを埋め、さらに遊技機等の暗号化された諸データも加えて機密性、安全性、認証性及び否認防止機能を保証できる暗号化システムを構築し、遊技者による不正操作、データの盗聴・改竄・なりすまし等を直ちに摘発排除してホール内の管理を安全・公平に運営することにより遊技者に快適なゲーム環境を提供できる遊技機及び遊技者監視・診断・解析・認識システムを提供することを目的としている。
【課題を解決するための手段】
【００１０】
上記目的を達成するため、請求項１に記載の発明は、遊技ホール（複数ホールの群管理も含む）に設置された遊技機、遊技機セル（管理情報収集端末、監視カメラ、景品管理機、遊技玉・メタル計数機、同貸出機又はプリペイドカード管理機等の周辺機器を含む）の異常状態、遊技者の異常（不正）操作と健康状態を監視用カメラにより検知し、ネットワークを介して監視する遊技機及び遊技者の監視・診断・解析システムであって、遊技ホール内の天井及び遊技機毎に設置され遊技者の顔の表情、手の動作等の撮像動画像データをネットワークで伝送するネットワークカメラと、前記複数のネットワークカメラを島ネットワーク経由で管理・制御し撮像動画像の画像処理・解析及び暗号化処理を行う島組込み（Ｅｍｂｅｄｄｅｄ）コンピュータ（島ＢＯＸコンピュータ）と、前記遊技ホール内の複数の島ＢＯＸコンピュータをホール内ネットワーク経由で管理・制御し、広域ネットワーク接続用の前記撮像動画像の編集、ＩＰアドレス変換、ＶＰＮ接続機能を有し、ホール外の各種関連施設・機関と連携して、前記複数の島ＢＯＸコンピュータが収集したホール内の全てのカメラ及びカメラ画像を受信・解読・分析・診断・管理してホール内全遊技機及び遊技者の選択・監視・診断を行うホールアプリケーションサーバ（以下ＨＡＳ）と、前記広域ネットワークを介して接続された系列ホール毎のＨＡＳの群管理のマスタＨＡＳと、前記暗号化処理の鍵認証局機能を有する第三者管理センターと、を備えたことを特徴とする。
また、請求項２に記載の前記ＨＡＳ及びマスタＨＡＳは、遊技機及び遊技機セル機器・装置から島ネットワーク経由で島ＢＯＸコンピュータに入力された管理データに基づき、当り・確率データ、稼動率、遊技玉・メダル売上げ等のホール経営管理データ及び来歴データ、解析データの管理システムを新たなホールコンピュータシステムを導入せずに実現できることを特徴とする。
また、請求項３に記載の前記暗号化処理の方式は、撮像動画像データを受信する管理コンピュータ側が該管理コンピュータ側で生成した公開鍵をカメラ等の前記撮像動画像送信側へ送信する公開鍵伝送手順と、前記公開鍵を受信した撮像動画像送信側で共通鍵を選択し生成する共通鍵生成手順と、前記共通鍵を用いて平文撮像動画像データを該共通鍵で暗号化すると共に前記共通鍵を前記公開鍵で暗号化した暗号化共通鍵と暗号文撮像動画像データとを前記受信側へ送信する暗号化手順と、前記受信側で自己の秘密鍵により前記暗号化共通鍵を復号して前記暗号文撮像動画像データを平文撮像動画像データに戻す復号化手順と、を有する、暗号自身が共通鍵を自動的に変更する公開鍵及び共通鍵を用いたハイブリッド方式により機密性・安全性保護を行い、処理速度を低下させない暗号化を行うことを特徴とする。
また、請求項４に記載の前記暗号化処理の方式及び該暗号化処理データを扱う前記ＨＡＳは、公開鍵発行者による認証機能と否認防止機能によりアクセス権者を特定・記録することによって肖像権保護の観点より暗号撮像動画像ファイルへのアクセス権を設定して撮像動画像のアクセス及び監視目的を制限することを特徴とする。
また、請求項５に記載の前記暗号化処理の方式は、前記アクセス権者に対しても特定暗号フアイルの暗号鍵を共通とすると共に前記暗号撮像動画像ファイル毎に頻繁に暗号鍵が変更され、公開鍵所有のアクセス権者には前記暗号撮像動画像ファイル単位のアクセス権を設定することを特徴とする。
また、請求項６に記載の前記暗号化処理の方式は、前記暗号撮像動画像ファイルへのアクセスに対して、何時、誰が、どの暗号撮像動画像ファイルを読んだかを常にロギングにより記録し、これを公開鍵発行者により認証することによって否認防止機能による暗号撮像動画像ファイルの機密性保護を行い、復号した平文撮像動画像データを削除して安全性機能による保護を行うことを特徴とする。
また、請求項７に記載の前記暗号化処理の方式は、公開鍵の正当性を保証する機関（ＣＡ：Ｃｅｒｔｉｆｉｃａｔｅ  Ａｕｔｈｏｒｉｔｙ／認証局）を第三者機関として設置し、身分証明書やホール認可書等の必要書類データと共に公開鍵を前記認証局に送信し、前記認証局は該認証局の署名付きで公開鍵を返送することを特徴とする。
また請求項８に記載の前記暗号化処理の方式は、遊技者の映像を犯罪防止及び遊技者クセス者の特定、第三者による認証・証明により肖像権が保護されることを特徴とする。
また、請求項９に記載の前記ネットワークカメラは、島ＢＯＸコンピュータとシェアして、少なくとも音声も同時に送れる音声伝送機能と、動体検知及び動体除去機能と、リアルタイムに画像データを暗号化できるリアルタイム画像暗号化機能と、複数台の当該カメラを遠隔モニター側でまとめて表示モニタリングできる機能と、当該カメラの画像を複数の遠隔モニター側で同時にパン／チルト及びズーム等の異なるカメラ操作が可能なソフト雲台機能と、指定した時刻に指定した前記ＨＡＳに対して画像を転送するタイマー機能と、ＴＣＰ及びＵＤＰ／ＩＰ、ＨＴＴＰ、ＦＴＰ等のインターネットプロトコルを含むＷｅｂ伝送機能と、を有して、遊技者の顔の表情及び手の動作像を自動認識して異常操作・動作の遊技者の映像と遊技台情報等の各種遊技機及び遊技者情報を所定の管理者用端末へ伝送する機能を有することを特徴とする。
また、請求項１０に記載の前記島ＢＯＸコンピュータは、前記ネットワークカメラと無線／ＰＬＣ（高速電力線通信）／ＬＡＮ等のネットワークにより接続され、他の系列遊技ホールの前記マスタＨＡＳ間は広域ネットワ−ク（ＷＡＮ）等のＷｅｂ対応ネットワークにより接続することを特徴とする。
また、請求項１１に記載の前記ＨＡＳは、各管理者又は暗号撮像動画像ファイルアクセス者に対する鍵認証を行う第三者管理センター（認証局）及び各種暗号アルゴリズムをアクセスできる他のＨＡＳと広域ネットワークを介して接続することを特徴とする。
また、請求項１２に記載の前記ＨＡＳは、リレーショナル画像蓄積型サーバの預託稼動システムと広域ネットワークを介してＶＰＮ接続を行い前記暗号撮像動画像ファイルのアクセスを行うことを特徴とする。
【発明の効果】
【００１１】
本発明に係る遊技機及び遊技者監視・診断・解析・認識システムによれば、遊技場内の遊技機毎にネットワークカメラを配置して顔の表情、手の動作という撮像動画像を遠隔監視できるようにして、更に、監視用の動画像データを最新のＩＰｓｅｃ方式を取入れた共通鍵を動的に変更（ファイル毎またはパケット毎に変更したり、多い場合は１０００回以上／秒で交換したりする）することで、ほぼ完全といえる機密性、安全性、認証、否認防止機能を保証する暗号化システムであり、従来の遊技機からの諸データと加味して、リアルタイムに不正操作やデータの盗聴・改竄・なりすまし等は直ちに摘発排除され、場内の管理が安全・公平に運営されることによって、遊技者により快適なゲーム環境を提供できるという効果がある。
【発明を実施するための最良の形態】
【００１２】
以下、本発明を実施するための最良の形態について図を参照して説明する。
図１は、本発明の一実施形態による遊技機及び遊技者監視・診断・解析・認証ンシステムの構成図である。
【００１３】
図１において、１はネットワークカメラで１ａが遊技機２に設置され遊技者の顔や手の動画像を撮像するカメラで、１ｂが天井に設置されて広範囲をモニターするカメラである。このネットワークカメラ１（以下、単にカメラ１とも称す）は動画像と共に音声転送が可能であり、リアルタイムに撮像動画像を暗号化して転送するリアルタイム暗号化が可能である。その他管理者側モニター（管理者用端末：図示せず）で集中監視又は分散監視する場合に必要な複数のカメラ１を一単位としてブロック化し、ブロック化した画像をモニターの１画面に分割表示するためのマルチカメラ機能、監視データの抽出・解析を行うための動体認識／動体消去機能、複数のモニターから指定したカメラ１のパン／チルト／ズーム等のカメラ操作の選別・切替表示ができるソフト雲台機能、動画サムネール機能、撮像動画像データのネッワーク伝送機能を構成するＴＣＰ、ＵＤＰ／ＩＰ、ＨＴＴＰ、ＦＴＰ等のネットワークプロトコルを内蔵したものであり、更にＣＰＵを有して各種の制御・操作データの処理、送受信機能を備えた知能端末機能も持たせてもよい。
管理者側でモニターする形態としてはホールアプリケーションサーバ７或いはサーバ群１２内に備わる管理者用端末（図示せず）を用いて集中監視するシステムや、複数の管理者用端末をインターネット９等の通信ネットワークを介しサーバ群１２等に接続して連携システムを構成することにより、ホール内外の任意の地点に設けられた管理者のモニターからでも監視できる分散監視を行うシステムにすることも可能である。
【００１４】
２はパチンコやパチスロ等の遊技機であり、３は遊技機２が対向２列に併置された島である。４は島ＢＯＸコンピュータ（島動画像サーバ：市販のパーソナルコンピュータや工業用パソコン等で構成される）であり、カメラ１とは点線で示す無線ＬＡＮ、無線ＵＳＢ、ＰＬＣ（Ｐｏｗｅｒ  Ｌｉｎｅ  Ｃｏｍｍｕｎｉｃａｔｉｏｎ）、ＬＡＮケーブル等の島ネットワーク５により接続される。島ＢＯＸコンピュータ４は、監視用動画像の収集を行い、画像処理機能により各カメラからの動画像データの伝送データ量の削減を、動体認識／消去機能などを利用した画像データの抽出処理、ＪＰＥＧ、ＭＰＥＧ等の圧縮処理やサイクリック伝送処理等を考慮して、各カメラ１よりセキュリティのためにリアルタイム暗号化（後述する本発明の暗号化システムによる）により暗号化されて伝送されてきた動画像データを、ホールアプリケーションサーバ（以下ＨＡＳの略称を用いる）７からの要求に応じて転送する。
また、島ＢＯＸコンピュータ４は、遊技機２のゲームを制御する主制御部１３、及び、ットワーク５により接続されて遊技機稼動データの収集を行い、経営管理や、犯罪の監視と共に、ゲーム機が所定のプログラムに基づいて、法規に基づいた稼動をしているかを監視・管理する。
【００１５】
６は島ＢＯＸコンピュータ４とＨＡＳ７とを接続するＬＡＮやＰＬＣなどのホールネットワークであり、インターネット９とでネットワークを構成し、島ネットワーク５を含む広帯域のブロードバンドネットワークを構成している。
７はホールアプリケーションサーバ（ＨＡＳ）であって、島ＢＯＸコンピュータ４から入力される暗号化動画像データ及び各遊技機、周辺機器の稼動状況データを管理して、遊技ホール８全体の遊技機の遠隔監視・診断及び管理業務を展開する。
ＨＡＳ７は、インターネット９等の広域ネットワークを介して、例えば、ＣＡ（Ｃｅｒｔｉｆｉｃａｔｅ  Ａｕｔｈｏｒｉｔｙ：認証局）等の第三者管理センター１０と接続し、実際に動画像データの監視・診断の実務に携わる管理者・アクセス権者個々に公開鍵を取得登録して認証システムを構成する。これによって公開鍵が誰の（どのカメラの）公開鍵であるかが認証されるので、カメラ１による動画像データは遊技者の肖像権を保護するために限られた管理者・アクセス権者のみがアクセス可能として、公開鍵の認証機能により動画像の暗号化データを復号化できるように動画像ファイルへのアクセス権を厳しく制限するシステムとしている。
またＨＡＳ７は、複数の系列ホール１１と接続して各種の業務提携を行い水平展開することによって同一データ制御・運営が可能なように構成される。これによって系列ホール１１の各遊技機のカメラ情報も含めた地域・集中分散監視・管理システムが構築できる。
【００１６】
このように、本発明によるシステムでは、最終的な系列ホール１１も含めた集中・分散監視システムを構成する場合、実際に設置されるネットワークカメラ１の数は、各遊技機に備えられるカメラ１ａのみでも［（島の遊技機実装カメラ×島数＝ホール全体のカメラ数）×系列ホール数］となり、カメラ総数は５０００台〜１００００台以上という規模になる。これらカメラによる監視・診断を動画でユビキタスな安価なシステムを構成することが本システムの目標とするところである。この場合、全カメラにローカルＩＰアドレスを付与して管理し、遊技ホール８内とインターネット（Ｗｅｂネットワーク）９間でのＶ６−Ｖ４トンネリングによるＩＰアドレス変換操作を行なうことによってグローバルＩＰアドレスの数を削減することもできる。
また本実施形態では、暗号サーバや、集中・分散監視の場合には膨大なデータ量を効率的に処理するためのデータベースを分散することによってセキュリティを高めている。即ち、画像蓄積型サーバの預託システムと契約し、ＨＡＳ７とＡＳＰサービスが連携して動画像監視・診断のサーバ業務を分散処理する、常に最新式の設備が利用できるデータセンターや、その他複数の利用可能な各種システムを含むサーバ群１２とＨＡＳ７を接続している。
また、ＨＡＳ７とインターネット９を介した系列ホール１１や、サーバ群１２や第三者管理センター１０間の通信は、ＶＰＮ（Ｖｉｒｔｕａｌ  Ｐｒｉｖａｔｅ  Ｎｅｔｗｏｒｋ）を用いて、最新の暗号化システムによるセキュリティを保持した通信形態とする。
【００１７】
図２は、本発明のシステムに用いるハイブリッド暗号方式の手順を示す図である。
この暗号方式では、公開鍵１５は暗号鍵として複雑で安全であるが画像データでは処理時間が増加するので、速度の速い共通鍵１６による暗号化をおこなっている。
先ず、管理者コンピュータ（受信／鍵作成側）１７より自分の公開鍵１５をネットワークカメラ１（送信側島サイド）へ送信する。公開鍵１５を受取った送信側は共通鍵１６を選択生成して、平文画像１８を共通鍵１６で暗号化すると共に、共通鍵１６を受取った公開鍵１５で暗号化して、平文画像１８と共通鍵１６を管理者コンピュータ１７へ送信する。これによって共通鍵１６の交換が安全に行われる。
受信した管理者コンピュータ１７は、自分の秘密鍵１９で公開鍵１５を復号して共通鍵１６を取り出し、暗号文を共通鍵で復号して平文を得るものである。これによって安全性を保証して、処理速度も低下しない暗号化システムが構成される。
【００１８】
次に、図３〜図６に示したフローチャートと、ブロック図を用いて動作について説明する。
図４は、アクセス者の認証手順を示す図であって、動画像暗号ファイルにアクセス権を付与されている管理者がアクセスする場合には、先ず、自分の持っている公開鍵で暗号化共通鍵にアクセスする（Ｓ１）。暗号化共通鍵を公開鍵と一対の復号鍵で解読して共通鍵を得る（Ｓ２）。暗号ファイルをこの共通鍵で復号し、平文／画像を読む（又は判断・判定する）（Ｓ３）。
このアクセスに対してロギングを行い、何時、誰が、どの暗号ファイルを読んだかが記録されるので、盗聴・改竄・なりすましによる不正アクセスの場合は摘発され、アクセス者は不正追及に対して否認不可能な否認防止機能により安全性が保証される（Ｓ４）。
最後にアクセスが終了したら、生データの形跡を残さないために安全性に配慮して平文／画像を削除する（Ｓ５）。
なお、ここで考えて置かなければならないことは、公開鍵の作成公開時点から他人になりすましが不正に行われる危険性である。ネットワーク経由の通信では通信相手が見えないために、第三者が通信相手になりすまして公開鍵を送り付けてきて、暗号文が第三者の手で解読されてしまう可能性がある。そのために、公開鍵暗号方式では使用される公開鍵が本当に正しい相手のものかを確認する必要がある。
【００１９】
図３は、図１に示す第三者管理センター１０の機能を示す構成図であり、図３に示すように、公開鍵の確認（認証）の方法として、公開鍵の正当性を保証する機関（認証局：ＣＡ等）を第三者で設置して、ホール監視者２０は公開鍵を身分証明書やホール認可書を添付して認証局（ＣＡ）へ送り、認証局（ＣＡ）２１から公開鍵とその所有者を保証する証明書として認証局の署名付きの公開鍵２２を返送して貰うもので、先ず、受信者は送信者にＣＡ２１の署名付き公開鍵２２を送信し、受け取った送信者は添付されている受信者の情報とＣＡ２１の署名を確認して通信を行うようにする。従って、仮に第三者が公開鍵を送り付けても送信者は送られてきた公開鍵には証明書が無いのでなりすましを見破ることができて、安全な通信を行うことができる。
【００２０】
図５は、上位の公開鍵発行者にアクセス権限を与える手順を示す図である。
公開鍵発行者（例えば、第三者認証機関として保安電子通信技術協会：保通協等も考えられる）にアクセス権限を与える際には、もちろんファイルのコンテンツの復号まで及ばないもので、誰が、何時、どのファイルか（遊技機カメラか天井カメラか等）に制限することもできる。
先ず、どのアクセス権者にも、特定暗号ファイルの共通鍵を共通にする（Ｓ１０）。ファイル単位で暗号鍵（共通鍵）を変える（Ｓ１１）。公開鍵所有者に暗号ファイル単位のアクセス権を与える（Ｓ１２）。何時、誰が、どの暗号ファイルを読んだかを認証する（Ｓ１３）。
これによって認証性、否定防止機能によるシステム保護が可能になる。
【００２１】
その他、特許文献３等と同様に遊技場内に設置された遊技機、各種遊技機セル（管理情報収集端末、監視カメラ、景品管理機、遊技玉・メタル計数機、同貸出機又はプリペイドカード管理機等）からの稼働状況・管理データを暗号化データとして島ネットワーク５経由で島ＢＯＸコンピュータ４に入力・復号することによって、当り・確率データ、稼働率、遊技玉・メタル売上げ等のホール経営管理データや来歴データ及び解析データの管理等を行い、これらを含むカメラ監視データによる総合的な遊技場管理システムを、従来のホールコンピュータシステムのような設備を必要とせずに簡単に構築できる。
また、前述のような否定防止機能、安全機能、認証機能等を含む暗号化、セキュリティシステムの総合管理への拡張例として、例えば、公開鍵方式によるデジタル署名を応用し、島ＢＯＸコンピュータ４のデータ収集・転送機能を利用して遊技機２のゲームプログラムＩＣ（ＲＯＭ）のデータを読出し、島ＢＯＸコンピュータ４、ＨＡＳ７等において、読出したプログラムを、セキュアハッシュ関数を用いた署名方式によって処理した出力データと、予め正常プログラムをセキュアハッシュ関数で処理して保持している基準となる出力データとを比較することで、２つの出力が同一で無ければプログラムが不正に交換されたか、改ざんされていると判断し、２つの出力が同一ならば不正操作が行われておらず正常であると判断してゲーム開始を許可する等のデータ監視による事前チェック機能等も可能になる。
【００２２】
図６は、新リアルタイム暗号システムによる暗号方式のブロック図である。
図６は、ＭＲＴ暗号と呼ばれるもので、共通鍵を１０００回／秒以上変更できる新暗号システムのブロック図であり、ネットワークカメラ１から収集された撮像動画像データは、乱数発生部２３、非可逆関数群２４の処理を経て鍵生成／共用部２５で暗号鍵を生成し、ストリーム暗号部２６でリアルタイム暗号となって、暗号読解が現実的（数十億種類でしかもパケット毎にランダムに使い捨てられる暗号であり）には不可能な暗号コンテンツとして「Ｗｅｂブラウザ→プロバイダ→サーバ」等へ送出し、指定の管理者用サーバ或いは管理者用端末へ送信される。
このシステムは共通鍵を１０００回／秒以上変更できるので、このような暗号システムを使用すれば、究極にセキュリティが高められ、そのリアルタイム性から品質のよい画像、音声、データの暗号化が可能になる。
【図面の簡単な説明】
【００２３】
【図１】本発明の実施形態による遊技機監視・診断・認識システムの構成図である。
【図２】図１に示すシステムに用いるハイブリッド暗号化方式の手順図である。
【図３】図１に示す第三者管理センターの機能を示す構成図である。
【図４】図２に示す公開鍵所有者のアクセス手順を示す図である。
【図５】図４に示すアクセスを認証する手順を示す図である。
【図６】新リアルタイム暗号システム（ＭＲＴ暗号）による暗号方式のブロックである。
【図７】従来の監視カメラの構成図である。
【図８】図７に示すカメラの表示画像を示す図である。
【図９】図７に示すカメラの画角を表す図である。
【図１０】図７に示す表示画面上における合成画面を示す図である。
【図１１】従来の遊技機監視システムの接続図である。
【図１２】従来の遊技施設のデータ通信方法のブロック図である。
【符号の説明】
【００２４】
１    ネットワークカメラ
２    遊技機
３    島
４    島ＢＯＸコンピュータ
５    島ネットワーク
６    ホールネットワーク
７    ホールアプリケーションサーバ（ＨＡＳ）
８    遊技ホール
９    インターネット
１０    第三者管理センター
１１    系列ホール
１２    サーバ群（暗号サーバ、データサーバ、ＨＴＴＰサーバ等）
１３    主制御部
１４    付属（周辺）機器
１５    公開鍵
１６    共通鍵
１７    管理者コンピュータ
１８    平文画像
１９    秘密鍵
２０    受信者（ホール監視者）
２１    認証局（ＣＡ）
２２    ＣＡ署名付き公開鍵
２３    乱数発生部
２４    非可逆関数群
２５    鍵生成／共用部
２６    ストリーム暗号部
【図１】
2006212043.tif 000003
【図２】
2006212043.tif 000004
【図３】
2006212043.tif 000005
【図４】
2006212043.tif 000006
【図５】
2006212043.tif 000007
【図６】
2006212043.tif 000008
【図７】
2006212043.tif 000009
【図８】
2006212043.tif 000010
【図９】
2006212043.tif 000011
【図１０】
2006212043.tif 000012
【図１１】
2006212043.tif 000013
【図１２】
2006212043.tif 000014